(57)【要約】【課題】画像の表示制御に係る入力操作の利便性を向上させる画像表示装置、画像表示方法、及び画像表示プログラムを提供する。【解決手段】操作量ｄの要素を有する入力操作を受け付けるタッチパネル２４と、装置の傾きθ及び移動ｍの少なくとも一方を検出する検出装置１８と、予め定められた表示制御情報から、タッチパネル２４により受け付けられた入力操作の操作量ｄと、検出装置１８の検出結果としての装置の傾きθ及び移動ｍの少なくとも一方とに基づいて、表示装置２２に表示された映像に係る表示制御を実行する表示制御手段４０とを、備えたものであることから、装置の姿勢乃至移動と入力操作とを連携させて各種表示制御を実行することができる。【選択図】図３
2011252970.tif 000002
【特許請求の範囲】
【請求項１】
画像を表示させる表示部を備えた画像表示装置であって、
操作量の要素を有する入力操作を受け付ける操作入力装置と、
該操作入力装置の傾き及び移動の少なくとも一方を検出する検出装置と、
予め定められた表示制御情報から、前記操作入力装置により受け付けられた入力操作の操作量と、前記検出装置の検出結果としての前記操作入力装置の傾き及び移動の少なくとも一方とに基づいて、前記表示部に表示された映像に係る表示制御を実行する表示制御手段と
を、備えたものであることを特徴とする画像表示装置。
【請求項２】
前記操作入力装置は、前記表示部の画面に相当する平面部に対する接触による入力操作を受け付けるタッチパネルであり、
前記表示制御手段は、該タッチパネルによるコマンド開始操作に応じて前記表示部における画面の一部に操作コマンド領域を表示させると共に、該操作コマンド領域に対しての前記タッチパネルによる接触操作に応じて前記表示制御を実行するものである請求項１に記載の画像表示装置。
【請求項３】
前記表示制御手段は、前記タッチパネルにおいて前記コマンド開始操作が行われた前記平面部全体に対する相対位置に基づいて、前記表示部における前記操作コマンド領域の表示位置及び前記表示制御情報に係る判定基準を変更するものである請求項２に記載の画像表示装置。
【請求項４】
前記表示部は、複数種類のコンテンツを表示させるものであり、
前記表示制御手段は、前記操作入力装置により受け付けられた入力操作の操作量と、前記検出装置の検出結果としての前記操作入力装置の傾き及び移動の少なくとも一方とに基づいて、前記複数種類のコンテンツに係る表示制御を実行すると共に、各コンテンツの種類に応じて該表示制御の態様を変更するものである請求項１から３の何れか１項に記載の画像表示装置。
【請求項５】
前記表示部は、前記コンテンツとして複数のページを切替表示させるものであり、
前記表示制御手段は、前記操作入力装置により受け付けられた入力操作の操作量と、前記検出装置の検出結果としての前記操作入力装置の傾き及び移動の少なくとも一方とに基づいて、前記複数のページをページ単位で切替表示させる第１の表示制御及び各ページを中途までスクロール表示させる第２の表示制御の何れかを選択的に実行するものである請求項４に記載の画像表示装置。
【請求項６】
前記表示部は、前記操作入力装置による入力操作に応じて前記画面内を相対移動させられるカーソルを表示させるものであり、
前記表示制御手段は、前記操作入力装置により受け付けられた入力操作の操作量と、前記検出装置の検出結果としての前記操作入力装置の傾き及び移動の少なくとも一方とに基づいて、前記カーソルの移動量及び移動速度の少なくとも一方を変更する表示制御を実行するものである請求項１から３の何れか１項に記載の画像表示装置。
【請求項７】
画像を表示させる表示部と、
操作量の要素を有する入力操作を受け付ける操作入力装置と、
該操作入力装置の傾き及び移動の少なくとも一方を検出する検出装置と
を、備えた画像表示装置による画像表示方法であって、
予め定められた表示制御情報から、前記操作入力装置により受け付けられた入力操作の操作量と、前記検出装置の検出結果としての前記操作入力装置の傾き及び移動の少なくとも一方とに基づいて、前記表示部に表示された映像に係る表示制御を実行する表示制御過程を含むことを特徴とする画像表示方法。
【請求項８】
画像を表示させる表示部と、
操作量の要素を有する入力操作を受け付ける操作入力装置と、
該操作入力装置の傾き及び移動の少なくとも一方を検出する検出装置と
を、備えた画像表示装置における制御装置を、
予め定められた表示制御情報から、前記操作入力装置により受け付けられた入力操作の操作量と、前記検出装置の検出結果としての前記操作入力装置の傾き及び移動の少なくとも一方とに基づいて、前記表示部に表示された映像に係る表示制御を実行する表示制御手段として機能させることを特徴とする画像表示プログラム。
【発明の詳細な説明】
【技術分野】
【０００１】
本発明は、画像を表示させる表示部を備えた画像表示装置、画像表示方法、及び画像表示プログラムの改良に関する。
【背景技術】
【０００２】
画像を表示させる表示部を備えた画像表示装置が知られている。例えば、画像を表示させると共に利用者の接触に応じて入力を行うタッチパネルディスプレイを備えた画像表示装置がそれである。また、斯かる画像表示装置において、画像の表示制御に係る入力操作の利便性（操作性）を向上させる技術が提案されている。例えば、特許文献１に記載された端末装置がそれである。この技術によれば、傾斜センサにより検出される装置の傾きに応じて、ディスプレイの画面表示でスクロール又はカーソル移動を実行させるコマンドを発行することで、表示制御に係る入力操作の利便性を向上させることができるとされている。
【先行技術文献】
【特許文献】
【０００３】
【特許文献１】特開２０１０−７９７８５号公報
【発明の概要】
【発明が解決しようとする課題】
【０００４】
しかし、前記従来の技術は、装置の傾きに応じて所定の入力操作を実行するものに過ぎず、利便性の向上には限界があった。例えば、タッチパネルディスプレイを備えた画像表示装置においては、一方の手で装置を持ちつつもう一方の手でタッチパネルに対する接触操作を行うものが一般的であり、片手操作における十分な利便性を保証する装置は未だ開発されていないのが現状である。このため、画像の表示制御に係る入力操作の利便性を向上させる画像表示装置、画像表示方法、及び画像表示プログラムの開発が求められていた。
【０００５】
本発明は、以上の事情を背景として為されたものであり、その目的とするところは、画像の表示制御に係る入力操作の利便性を向上させる画像表示装置、画像表示方法、及び画像表示プログラムを提供することにある。
【課題を解決するための手段】
【０００６】
斯かる目的を達成するために、本第１発明の要旨とするところは、画像を表示させる表示部を備えた画像表示装置であって、操作量の要素を有する入力操作を受け付ける操作入力装置と、その操作入力装置の傾き及び移動の少なくとも一方を検出する検出装置と、予め定められた表示制御情報から、前記操作入力装置により受け付けられた入力操作の操作量と、前記検出装置の検出結果としての前記操作入力装置の傾き及び移動の少なくとも一方とに基づいて、前記表示部に表示された映像に係る表示制御を実行する表示制御手段とを、備えたことを特徴とするものである。
【０００７】
また、前記目的を達成するために、本第２発明の要旨とするところは、画像を表示させる表示部と、操作量の要素を有する入力操作を受け付ける操作入力装置と、その操作入力装置の傾き及び移動の少なくとも一方を検出する検出装置とを、備えた画像表示装置による画像表示方法であって、予め定められた表示制御情報から、前記操作入力装置により受け付けられた入力操作の操作量と、前記検出装置の検出結果としての前記操作入力装置の傾き及び移動の少なくとも一方とに基づいて、前記表示部に表示された映像に係る表示制御を実行する表示制御過程を含むことを特徴とするものである。
【０００８】
また、前記目的を達成するために、本第３発明の要旨とするところは、画像を表示させる表示部と、操作量の要素を有する入力操作を受け付ける操作入力装置と、その操作入力装置の傾き及び移動の少なくとも一方を検出する検出装置とを、備えた画像表示装置における制御装置を、予め定められた表示制御情報から、前記操作入力装置により受け付けられた入力操作の操作量と、前記検出装置の検出結果としての前記操作入力装置の傾き及び移動の少なくとも一方とに基づいて、前記表示部に表示された映像に係る表示制御を実行する表示制御手段として機能させることを特徴とする画像表示プログラムである。
【発明の効果】
【０００９】
このように、前記第１発明によれば、装置の傾き及び移動の少なくとも一方に基づいて、操作入力装置による入力操作の操作量に対応する表示制御を変更することで、装置の姿勢乃至移動と入力操作とを連携させて各種表示制御を実行することができる。すなわち、画像の表示制御に係る入力操作の利便性を向上させる画像表示装置を提供することができる。
【００１０】
ここで、前記第１発明において、好適には、前記操作入力装置は、前記表示部の画面に相当する平面部に対する接触による入力操作を受け付けるタッチパネルであり、前記表示制御手段は、そのタッチパネルによるコマンド開始操作に応じて前記表示部における画面の一部に操作コマンド領域を表示させると共に、その操作コマンド領域に対しての前記タッチパネルによる接触操作に応じて前記表示制御を実行するものである。このようにすれば、画面の一部に表示された操作コマンド領域に対するタッチパネルによる接触入力操作と装置の姿勢乃至移動とを連携させて各種表示制御を実行することができる。
【００１１】
また、好適には、前記表示制御手段は、前記タッチパネルにおいて前記コマンド開始操作が行われた前記平面部全体に対する相対位置に基づいて、前記表示部における前記操作コマンド領域の表示位置及び前記表示制御情報に係る判定基準を変更するものである。このようにすれば、装置を持つ手の左右を判断して画面における操作コマンド領域の表示位置を変更できると共に、その操作コマンド領域に対する接触入力操作に応じた表示制御の基準を左右の手に対応して決定することができる。
【００１２】
また、好適には、前記表示部は、複数種類のコンテンツを表示させるものであり、前記表示制御手段は、前記操作入力装置により受け付けられた入力操作の操作量と、前記検出装置の検出結果としての前記操作入力装置の傾き及び移動の少なくとも一方とに基づいて、前記複数種類のコンテンツに係る表示制御を実行すると共に、各コンテンツの種類に応じてその表示制御の態様を変更するものである。このようにすれば、装置の姿勢乃至移動と入力操作とを連携させて各コンテンツに係る実用的な表示制御を実行することができる。
【００１３】
また、好適には、前記表示部は、前記コンテンツとして複数のページを切替表示させるものであり、前記表示制御手段は、前記操作入力装置により受け付けられた入力操作の操作量と、前記検出装置の検出結果としての前記操作入力装置の傾き及び移動の少なくとも一方とに基づいて、前記複数のページをページ単位で切替表示させる第１の表示制御及び各ページを中途までスクロール表示させる第２の表示制御の何れかを選択的に実行するものである。このようにすれば、装置の姿勢乃至移動と入力操作とを連携させて実用的なページの切替表示制御を実行することができる。
【００１４】
また、好適には、前記表示部は、前記操作入力装置による入力操作に応じて前記画面内を相対移動させられるカーソルを表示させるものであり、前記表示制御手段は、前記操作入力装置により受け付けられた入力操作の操作量と、前記検出装置の検出結果としての前記操作入力装置の傾き及び移動の少なくとも一方とに基づいて、前記カーソルの移動量及び移動速度の少なくとも一方を変更する表示制御を実行するものである。このようにすれば、装置の姿勢乃至移動と入力操作とを連携させて実用的なカーソルの移動表示制御を実行することができる。
【００１５】
また、前記第２発明によれば、装置の傾き及び移動の少なくとも一方に基づいて、操作入力装置による入力操作の操作量に対応する表示制御を変更することで、装置の姿勢乃至移動と入力操作とを連携させて各種表示制御を実行することができる。すなわち、画像の表示制御に係る入力操作の利便性を向上させる画像表示方法を提供することができる。
【００１６】
また、前記第３発明によれば、装置の傾き及び移動の少なくとも一方に基づいて、操作入力装置による入力操作の操作量に対応する表示制御を変更することで、装置の姿勢乃至移動と入力操作とを連携させて各種表示制御を実行することができる。すなわち、画像の表示制御に係る入力操作の利便性を向上させる画像表示プログラムを提供することができる。
【００１７】
また、前記第１乃至第３発明によれば、操作入力装置による入力操作の操作量に対応する表示制御に関して、装置の傾き及び移動の少なくとも一方に基づいて補正を行うものであることから、装置の姿勢乃至移動と入力操作とを連携させて各種表示制御を実行することができる。
【図面の簡単な説明】
【００１８】
【図１】本発明の一実施例である画像表示装置の外観の概要を示す図である。
【図２】図１の画像表示装置に備えられた構成を説明するブロック線図である。
【図３】図１の画像表示装置における制御部に備えられた制御機能の要部を説明する機能ブロック線図である。
【図４】図１の画像表示装置における表示装置の画面に操作コマンド領域が表示された様子を示す図である。
【図５】本実施例の表示制御に適用される第１の閾値に相当する画像表示装置の傾きを示す図である。
【図６】本実施例の表示制御に適用される第２の閾値に相当する画像表示装置の傾きを示す図である。
【図７】図１の画像表示装置における表示装置に複数のページにより構成された電子文書の各ページが表示された様子を説明する図である。
【図８】図１の画像表示装置における表示装置に複数のページにより構成された電子文書の各ページが表示された様子を説明する図である。
【図９】図１の画像表示装置における表示装置に表示された電子文書が各ページの中途までスクロール表示させられる様子を示す図である。
【図１０】図１の画像表示装置における表示装置に複数のアイコンを選択可能に表示させるアプリケーション選択映像が表示された様子を説明する図である。
【図１１】図１０のアプリケーション選択映像において表示装置に表示される複数のページに相当するアイコンリストを例示する図である。
【図１２】図１１に示すアイコンリストにおいて図１０に示す表示画面から右方向に縦１列分表示領域が移動させられた状態に対応する表示画面を示す図である。
【図１３】図１１に示すアイコンリストにおいて図１０に示す表示画面から右方向に縦２列分表示領域が移動させられた状態に対応する表示画面を示す図である。
【図１４】図１１に示すアイコンリストにおいて図１０に示す状態から右方向に縦１列分表示領域が移動させられた状態に対応する表示画面であり、使用頻度の高いアプリケーションに対応するアイコンが優先的に表示される様子を示している。
【図１５】図１１に示すアイコンリストにおいて図１０に示す状態から右方向に縦１列分表示領域が移動させられた状態に対応する表示画面であり、使用頻度の高いアプリケーションに対応するアイコンが残されて表示される様子を示している。
【図１６】図１０のアプリケーション選択映像においてカーソルが表示された表示画面である。
【図１７】図１の画像表示装置における表示装置に表示された映像に係る制御部による表示制御の要部について説明するフローチャートである。
【図１８】図１７に示す制御における単一オブジェクト処理を説明するフローチャートである。
【図１９】図１７に示す制御における複数オブジェクト処理を説明するフローチャートである。
【図２０】図１７に示す制御におけるカーソル処理を説明するフローチャートである。
【発明を実施するための形態】
【００１９】
以下、本発明の好適な実施例を図面に基づいて詳細に説明する。
【実施例】
【００２０】
図１は、本発明の一実施例である画像表示装置１０の外観の概要を示す図である。また、図２は、斯かる画像表示装置１０に備えられた構成を説明するブロック線図である。これらの図に示すように、本実施例の画像表示装置１０は、所定の画像（映像）を表示させると共に、利用者の接触操作に応じて入力を行うためのタッチパネルディスプレイ１２を備えており、例えば、利用者の手部（好適には、右手乃至左手すなわち片方の手）２０によって保持された状態で、タッチパネルディスプレイ１２に対して手部２０における指部（例えば、装置を保持する手の親指）２０ｆによる接触操作が行われるように構成されている。すなわち、本実施例の画像表示装置１０は、片手での保持乃至操作が可能な操作入力装置付画像表示装置であり、画像表示制御をはじめとする各種制御を実行する制御部１４と、複数の画像情報（画像ファイル）等、各種情報を記憶する記憶部１６と、操作入力装置としてのタッチパネル２４の重力方向に対する傾き及び移動の少なくとも一方を検出する検出装置１８とを、備えて構成されている。なお、本実施例の画像表示装置１０は、一方の手部（例えば、左手）により保持された状態で、他方の手部（例えば、右手）の指部によって接触操作が行われるものであってもよい。
【００２１】
図２に示すように、タッチパネルディスプレイ１２は、そのタッチパネルディスプレイ１２に所定の映像を表示させる表示部（ディスプレイ）としての表示装置２２と、操作入力装置としてのタッチパネル２４とを、備えて構成されている。また、画像表示装置１０には、表示装置２２による画像（映像）の表示制御を行う表示制御部２６と、タッチパネル２４により入力される入力情報を処理する入力制御部２８とが備えられており、それら表示制御部２６及び入力制御部２８により表示装置２２及びタッチパネル２４を介してタッチパネルディスプレイ１２による画像表示制御乃至情報入力制御が実行される。
【００２２】
タッチパネル２４は、表示装置２２の画面に相当する平面部（パネル）に対する利用者の指部２０ｆ等による接触に応じて入力操作を受け付けるものであり、画像表示装置１０における画像表示制御をはじめとする各種制御に係る操作を可能とする。また、平面部に対して利用者の指部２０ｆ等が接触した状態でその接触部位が平面部内を移動させられる操作（以下、接触移動操作という）が行われた場合等においては、その移動量が操作量として入力制御部２８により受け付けられる。また、この操作量は、タッチパネル２４に対する最小操作量に相当する操作が行われた場合において、その操作の継続時間に対応するものであってもよい。すなわち、タッチパネル２４は、操作量の要素を有する入力操作を受け付ける操作入力装置として機能する。
【００２３】
また、図２に示すように、制御部１４は、中央演算処理装置であるＣＰＵ３０と、読出専用メモリであるＲＯＭ３２と、随時書込読出メモリであるＲＡＭ３４とを、備えて構成されている。すなわち、制御部１４は、ＲＡＭ３４の一時記憶機能を利用しつつＲＯＭ３２に記憶された情報に基づいてＣＰＵ３０により種々の情報処理を実行する所謂マイクロコンピュータであり、表示制御部２６を介してタッチパネルディスプレイ１２（表示装置２２）に所定の画像を表示させる画像表示制御や、そのタッチパネルディスプレイ１２（タッチパネル２４）への接触操作に応じて入力制御部２８を介して入力される入力信号を処理する入力処理制御等、画像表示装置１０に関する各種制御に加えて、後述する本実施例の表示制御を実行する。また、記憶部１６は、ハードディスクやフラッシュメモリ等の記憶装置であり、後述するコンテンツデータベース３８（図３を参照）等の各種データベースを備えている。
【００２４】
検出装置１８は、タッチパネル２４の平面部が重力方向（鉛直方向）に対して垂直を成す状態を基準（傾きθ＝０）として、タッチパネル２４の重力方向に対する傾きθを検出する傾きセンサとしての機能、及びタッチパネル２４の水平面内における移動ｍを検出する移動センサとしての機能の少なくとも一方の機能を有するセンサであり、好適には、重力方向に対する傾きθを検出できると共に水平面内における移動ｍを検出できる３軸ジャイロスコープ（gyroscope）である。検出装置１８は、少なくともタッチパネル２４の横方向（画面向かって左右方向）に関して、重力方向に対する傾きθを検出する。換言すれば、タッチパネル２４の横方向に対応する第１軸方向に関して、重力方向に対する傾きθを検出する。また、好適には、タッチパネル２４の縦横方向（画面向かって上下左右方向）それぞれに関して重力方向に対する傾きθを検出する。換言すれば、タッチパネル２４の横方向に対応する第１軸方向及び縦方向に対応する第２軸方向それぞれに関して、重力方向に対する傾きθを検出する。また、画像表示装置１０の移動ｍとして、好適には、画像表示装置１０の水平方向に係る加速度の変化に対応する移動量（検出開始時点からの移動距離）を検出する。また、好適には、タッチパネル２４の平面部に垂直な軸を中心軸として、その軸心回りの回転量（回転角）を検出する。なお、検出装置１８は、操作入力装置としてのタッチパネル２４の重力方向に対する傾きθ及び移動ｍの少なくとも一方を検出するものであるが、本実施例においてタッチパネル２４は画像表示装置１０の表示装置２２と一体的に構成されたものであるため、検出装置１８は、換言すれば、画像表示装置１０の重力方向に対する傾きθ及び移動ｍの少なくとも一方を検出するものである。
【００２５】
記憶部１６に備えられたコンテンツデータベース３８には、表示制御部２６を介して表示装置２２に所定のコンテンツに係る映像を表示させるための各種情報が記憶される。例えば、表示制御部２６を介して表示装置２２に所定の画像を表示させるための画像情報として、例えばＪＰＥＧ（Joint Photographic Experts Group）、ＰＮＧ（Portable Network Graphics）、ＧＩＦ（Graphics Interchange Format）等のファイル形式の複数の画像データ（画像ファイル）が、それぞれの識別情報（ファイル名）をインデックスとして使用したスライドショー等が記憶される。また、好適には、ＰＤＦ（Portable Document Format）形式のドキュメントファイル、Ｅｘｃｅｌ（登録商標）形式のワークシートファイル、その他、所定のフォーマットの文書ファイル等、表示制御部２６を介して表示装置２２に複数のページにより構成された所定の電子文書を表示させるための情報が記憶される。また、好適には、それぞれ所定のアプリケーションに対応する複数のアイコンを選択可能に表示させるアプリケーション選択映像を、表示制御部２６を介して表示装置２２に表示させるための情報が記憶される。
【００２６】
また、画像表示装置１０は、通信インターフェイス３６を備えている。この通信インターフェイス３６は、無線により他の機器との間の情報の送受信を可能とする通信装置であり、画像表示装置１０は、この通信インターフェイス３６を介して公衆電話回線、ＡＤＳＬ回線、或いは光ファイバ回線等から構成されるＷＷＷ（World Wide Web）等の所謂インターネットに接続可能とされる。そして、画像表示装置１０とインターネットに接続された他の機器との間で、通信インターフェイス３６を介して相互に情報の通信が可能とされる。
【００２７】
図３は、前記制御部１４に備えられた制御機能の要部を説明する機能ブロック線図である。この図３に示す表示制御手段４０は、予め記憶部１６等に記憶された表示制御情報から、タッチパネル２４により受け付けられた入力操作に基づいて、表示装置２２に表示された映像に係る表示制御を実行する。斯かる制御を行うために、操作コマンド領域表示制御手段４２、コンテンツ表示制御手段４４、及びカーソル表示制御手段４６を含んでいる。以下、これらの制御機能について分説する。
【００２８】
操作コマンド領域表示制御手段４２は、タッチパネル２４によるコマンド開始操作に応じて表示装置２２における画面の一部に操作コマンド領域５０を表示させる。図４は、表示装置２２の画面に操作コマンド領域５０が表示された様子を示す図である。表示制御手段４０は、例えば、タッチパネル２４に対するトリプルタップ（所定時間内に３回連続してパネルをタップする操作）、長押し（所定時間継続してパネルに接触する操作）、或いはオブジェクトが表示されていない領域に対するダブルタップ操作等、予め定められたコマンド開始操作が行われた場合には、図４に示すように、表示装置２２における画面の一部に操作コマンド領域５０を表示させる。好適には、その時点において表示装置２２の画面に表示されている映像（図４においては複数のアイコンを選択可能に表示させるアプリケーション選択映像）の前面側に、その映像の一部に重ねて操作コマンド領域５０を表示させる。また、好適には、所定時間以上操作コマンド領域５０に対する操作が行われなかった場合には、表示装置２２の画面からその操作コマンド領域５０を消去する。また、好適には、表示装置２２に表示されているコンテンツに応じて操作コマンド領域５０の表示態様を変化させる。例えば、表示装置２２に写真等の選択オブジェクトが無い場合には、背景が見えるように操作コマンド領域５０を半透明（例えば、透明度５０％）としたり、メニュー画面の場合にはオブジェクトを再配置する等の制御を行う。また、表示装置２２に表示されているコンテンツが写真等の場合には、操作コマンド領域５０に加えて所定の操作メニューを表示させるものであってもよい。
【００２９】
表示制御手段４０は、図４に示すように表示装置２２の画面に操作コマンド領域５０が表示された状態において、その操作コマンド領域５０に対してのタッチパネル２４による接触操作に応じて本実施例の表示制御を実行する。すなわち、基本的には、操作コマンド領域５０に対して利用者の指部２０ｆ等が接触した状態でその接触部位が平面部内を移動させられる等してタッチパネル２４により操作量ｄの要素を有する入力操作が行われた場合、その操作量ｄに応じて例えば複数のページにより構成された電子文書のページをを切替表示させる表示制御、複数のアイコンを選択可能に表示させるアプリケーション選択映像のページを切り替える表示制御、及び表示装置２２の画面内を相対移動させられるカーソルの表示制御等を実行する。
【００３０】
また、表示制御手段４０は、予めＲＯＭ３２等に記憶された表示制御情報から、タッチパネル２４により受け付けられた入力操作の操作量ｄと、検出装置１８の検出結果としての画像表示装置１０（タッチパネル２４）の傾きθ及び移動ｍの少なくとも一方とに基づいて、表示装置２２に表示された映像に係る表示制御を実行する。すなわち、タッチパネル２４により受け付けられた入力操作の操作量ｄに応じた表示制御を、検出装置１８により検出された画像表示装置１０の傾きθ乃至移動ｍに基づいて変化させる。換言すれば、タッチパネル２４により受け付けられた入力操作の操作量ｄが同じ値であっても、検出装置１８により検出された画像表示装置１０の傾きθ乃至移動ｍが異なる場合には、その操作量ｄに対応して異なる表示制御を実行する。
【００３１】
また、表示制御手段４０は、好適には、検出装置１８の検出結果としての画像表示装置１０の傾きθ及び移動ｍの少なくとも一方が予め定められた閾値を超えるか否かに基づいて、タッチパネル２４により受け付けられた入力操作の操作量ｄに応じて異なる表示制御を行う。図５及び図６は、検出装置１８により検出される画像表示装置１０の重力方向に対する傾きθに関して、本実施例の表示制御に適用される閾値の一例について説明する図である。また、図５及び図６における矢印Ｇは重力方向を、中抜き矢印は利用者の指部２０ｆ等による入力操作をそれぞれ示している。
【００３２】
図５は、本実施例の表示制御に適用される第１の閾値θ１に相当する画像表示装置１０の傾きθを示す図であり、図６は、同じく第２の閾値θ２に相当する画像表示装置１０の傾きθを示す図である。ここで、第１の閾値θ１は例えば５〜１０°程度の値であり、第２の閾値θ２は例えば１５〜２５°程度の値である。表示制御手段４０は、好適には、検出装置１８の検出結果としての画像表示装置１０の傾きθがこれらの閾値θ１、θ２を超えるか否かに基づいて、タッチパネル２４により受け付けられた入力操作の操作量ｄに応じて異なる表示制御を行う。例えば、検出装置１８により検出される画像表示装置１０の傾きθが０＜θ＜θ１の範囲内である場合において第１の態様の表示制御、θ１≦θ＜θ２の範囲内である場合において第２の態様の表示制御、θ２≦θの範囲内である場合において第３の態様の表示制御をそれぞれ実行する。以下、図７〜図１６等を用いて斯かる本実施例の表示制御の具体的な態様について説明する。
【００３３】
図３に示すコンテンツ表示制御手段４４は、コンテンツデータベース３８に記憶された各種コンテンツに関して表示装置２２における表示制御を実行する。すなわち、タッチパネル２４により所定のコンテンツの表示制御を開始するための入力操作が行われた場合には、そのコンテンツに係る情報をコンテンツデータベース３８から読み出してＲＡＭ３４に展開し、各コンテンツの形式に応じた表示制御を実行する。例えば、複数のページにより構成された電子文書に相当するコンテンツに関して、図７〜図９を用いて後述するような表示制御を実行する。また、複数のアイコンを選択可能に表示させるアプリケーション選択映像に相当するコンテンツに関して、図１０〜図１６を用いて後述するような表示制御を実行する。
【００３４】
また、コンテンツ表示制御手段４４は、タッチパネル２４により受け付けられた入力操作の操作量ｄと、検出装置１８の検出結果としての画像表示装置１０の傾きθ及び移動ｍの少なくとも一方とに基づいて、複数種類のコンテンツに係る表示制御を実行すると共に、各コンテンツの種類に応じてその表示制御の態様を変更する。換言すれば、各種類のコンテンツに関してそれぞれ個別に、タッチパネル２４により受け付けられた入力操作の操作量ｄに応じた表示制御を、検出装置１８により検出された画像表示装置１０の傾きθ乃至移動ｍに基づいて変化させる。なお、本実施例の表示制御は、必ずしも全てのコンテンツに関して異なる制御を行うものでなくともよく、例えば、複数のページにより構成された電子文書に相当するコンテンツであればそれらに共通する表示制御、複数のアイコンを選択可能に表示させるアプリケーション選択映像に相当するコンテンツであればそれらに共通する表示制御、及び複数の画像の切替表示であればそれらに共通する表示制御のように、それぞれのコンテンツ群について異なる態様の制御を実行するといったようにそれぞれ複数種類のコンテンツを含むコンテンツ群毎に、タッチパネル２４により受け付けられた入力操作の操作量ｄと、検出装置１８の検出結果としての画像表示装置１０の傾きθ及び移動ｍの少なくとも一方とに基づく表示制御を行うものであってもよい。
【００３５】
例えば、コンテンツ表示制御手段４４は、好適には、複数のページにより構成されたコンテンツに関して、タッチパネル２４により受け付けられた入力操作の操作量ｄと、検出装置１８の検出結果としての画像表示装置１０の傾きθ及び移動ｍの少なくとも一方とに基づいて、複数のページをページ単位で切替表示させる第１の表示制御及び各ページを中途までスクロール表示させる第２の表示制御の何れかを選択的に実行する。また、好適には、ページ内に行の要素を有するコンテンツに関して、タッチパネル２４により受け付けられた入力操作の操作量ｄと、検出装置１８の検出結果としての画像表示装置１０の傾きθ及び移動ｍの少なくとも一方とに基づいて、複数のページをページ単位で切替表示させる第１の表示制御、各ページを中途までスクロール表示させる第２の表示制御、及び行を単位として各ページをスクロール表示させる第３の表示制御の何れかを選択的に実行する。
【００３６】
図７及び図８は、複数のページにより構成された電子文書の各ページが表示装置２２に表示された様子を説明する図であり、図７は第１６ページ５２ａが表示された様子を、図８は第１７ページ５２ｂ（以下、特に区別しない場合には単にページ５２という）が表示された様子をそれぞれ示している。この図７及び図８に示すコンテンツは、各ページ５２が表示装置２２の画面に１枚ずつ表示される形式の電子文書に相当するものであり、タッチパネル２４による所定操作によりページ５２単位で切替可能とされている。また、図９に示すように、タッチパネル２４による所定操作により各ページ５２を中途までスクロール表示させる表示制御や、行を単位として（例えば、１行乃至数行ずつ）各ページ５２をスクロール表示させる表示制御等が可能とされている。この表示制御は、表示装置２２における画面の一部に表示された操作コマンド領域５０に対してのタッチパネル２４による接触操作に応じて実行されるものであり、例えば、操作コマンド領域５０に対して右方向（左側から右側へ）の接触移動操作が行われた場合、ページ５２を進ませる切替表示制御乃至スクロール表示制御が実行される一方、操作コマンド領域５０に対して左方向（右側から左側へ）の接触移動操作が行われた場合、ページ５２を戻す切替表示制御乃至スクロール表示制御が実行される。
【００３７】
図７〜図９に示すコンテンツの表示制御に関して、コンテンツ表示制御手段４４は、タッチパネル２４の操作コマンド領域５０に対応する部分により操作量ｄの要素を有する入力操作が行われた場合、その操作量ｄに応じて、例えば、検出装置１８により検出される画像表示装置１０の傾きθが０＜θ＜θ１の範囲内である場合において行を単位として各ページ５２をスクロール表示させる第３の表示制御、θ１≦θ＜θ２の範囲内である場合において各ページ５２を中途までスクロール表示させる第２の表示制御、θ２≦θの範囲内である場合において複数のページ５２をページ単位で切替表示させる第１の表示制御をそれぞれ実行する。すなわち、タッチパネル２４により所定の操作量ｄに相当する接触移動操作が受け付けられた場合において、傾きθが０＜θ＜θ１の範囲内である場合には、その操作量ｄに対して各ページ５２を１行乃至複数行ずつスクロール表示させる。このスクロールに係る行数は、操作量ｄに応じて定められる。すなわち、操作量ｄが大きいほど多くの行が進められるようにスクロール表示制御が行われる。また、傾きθがθ１≦θ＜θ２の範囲内である場合には、その操作量ｄに対して各ページ５２を中途までスクロール表示させる。このスクロール量は、操作量ｄに応じて定められる。すなわち、操作量ｄが大きいほどスクロール量が多くなるようにスクロール表示制御が行われる。また、傾きθがθ２≦θの範囲内である場合には、その操作量ｄに対して複数のページ５２をページ単位で切替表示させる。この切り替えに係るページ数は、操作量ｄに応じて定められる。すなわち、操作量ｄが大きいほど多くのページ５２が進められるように切替表示制御が行われる。
【００３８】
また、コンテンツ表示制御手段４４は、タッチパネル２４の操作コマンド領域５０に対応する部分により操作量ｄの要素を有する入力操作が行われた場合、その操作量ｄに応じて、例えば、検出装置１８により検出される画像表示装置１０の移動ｍが０＜ｍ＜ｍ１の範囲内である場合において行を単位として各ページ５２をスクロール表示させる第３の表示制御、ｍ１≦ｍ＜ｍ２の範囲内である場合において各ページ５２を中途までスクロール表示させる第２の表示制御、ｍ２≦ｍの範囲内である場合において複数のページ５２をページ単位で切替表示させる第１の表示制御をそれぞれ実行する。ここで、各表示制御の詳細は上記の通りであり、各表示制御における操作量ｄとスクロール量乃至切替ページ数との対応関係も上述したものと同じである。
【００３９】
また、コンテンツ表示制御手段４４は、図７〜図９に示すコンテンツの表示制御に関して、検出装置１８の検出結果によらず一律に各ページ５２をスクロール表示させるスクロール表示制御を実行すると共に、その表示制御に際して検出装置１８の検出結果としての画像表示装置１０の方向を伴う傾きθ及び方向を伴う移動ｍの少なくとも一方に基づいて、タッチパネル２４により受け付けられた入力操作の操作量ｄに対応するスクロール量に重み付けを行うものであってもよい。すなわち、検出装置１８の検出結果としての画像表示装置１０の傾きθ乃至移動ｍが大きくなるほど、所定の操作量ｄに対応するスクロール量を大きくする表示制御を行うものであってもよい。また、タッチパネル２４の左右方向に関して右方向に傾いている場合には、右方向への操作に係る操作量ｄに関して１以上の重み付けをする一方、左方向への操作に係る操作量ｄに関して１未満の重み付けをするものであってもよい。例えば、画像表示装置１０が右方向へ所定角度θ傾いた状態で、タッチパネル２４の操作コマンド領域５０に対応する部分により右方向へ操作量ｄに相当する入力操作が行われた場合には、その操作量ｄに予め定められた例えば１．２の重み付けを行いｄ×１．２に相当する操作量に対応する表示制御を実行する一方、左方向へ操作量ｄに相当する入力操作が行われた場合には、その操作量ｄに予め定められた例えば０．８の重み付けを行いｄ×０．８に相当する操作量に対応する表示制御を実行する。
【００４０】
また、コンテンツ表示制御手段４４は、検出装置１８の検出結果としての画像表示装置１０の傾きθ乃至移動ｍが大きくなるほど、所定の操作量ｄに対応するスクロール速度を速くする表示制御を行うものであってもよい。その場合、特徴ページすなわちＰＤＦ等のチャプタや写真の再生頻度が高い写真に相当するページ５２付近では切替速度を落とすことが望ましい。また、検出装置１８の検出結果によらず一律に各ページ５２を行単位でスクロール表示させるスクロール表示制御を実行すると共に、その表示制御に際して検出装置１８の検出結果としての画像表示装置１０の傾きθ乃至移動ｍが大きくなるほど、所定の操作量ｄに対応するスクロール行数を多くする表示制御を行うものであってもよい。また、検出装置１８の検出結果によらず一律に複数のページ５２をページ単位で切替表示させる表示制御を実行すると共に、その表示制御に際して検出装置１８の検出結果としての画像表示装置１０の傾きθ乃至移動ｍが大きくなるほど、所定の操作量ｄに対応するページ数を多くする表示制御を行うものであってもよい。
【００４１】
図１０は、複数のアイコン５４を選択可能に表示させるアプリケーション選択映像５６が表示装置２２に表示された様子を説明する図である。この図１０に示すように、アプリケーション選択映像５６において、表示装置２２の画面内には例えば縦４個×横３個、計１２個のアイコン５４が表示されるようになっている。この各アイコン５４は、画像表示装置１０の制御部１４において実行可能な複数種類のアプリケーション例えばピクチャビューワ、メーラ、ブラウザ、テキストエディタ、アドレス帳等にそれぞれ対応するものであり、タッチパネル２４の操作に応じて何れかのアイコン５４が選択されることにより、そのアイコン５４に対応するアプリケーションが起動され、画像表示装置１０（制御部１４）においてそのアプリケーションが実行されるようになっている。
【００４２】
図１１は、アプリケーション選択映像５６において表示装置２２に表示される複数のページに渡るアイコンリスト５８を例示する図である。この図１１に示すように、アプリケーション選択映像５６において表示される複数のアイコン５４に関して、ページ乃至表示順に対応してそれら複数のアイコン５４が配列されたアイコンリスト５８が予め定められており、ＲＯＭ３２等に記憶されている。コンテンツ表示制御手段４４は、アプリケーション選択映像５６の表示制御に際して、このアイコンリスト５８に基づき、タッチパネル２４による操作に応じて表示装置２２の画面に表示されるアイコン５４（ページ）を変更する。すなわち、図１１に示すアイコンリスト５８においては、アプリケーション選択映像５６において表示される複数のアイコン５４が縦４個×横ｎ個に配列されており、タッチパネル２４による操作に応じてページが進められる毎に例えばその操作方向に対応する左右何れかの縦１列が次の表示順のアイコン５４に入れ替えられるようになっている。例えば、図１０に示す状態から右方向に縦１列分表示領域が移動させられた状態に対応する表示画面を図１２に、右方向に縦２列分表示領域が移動させられた状態に対応する表示画面を図１３にそれぞれ示している。なお、アプリケーション選択映像５６においては、左右方向の移動のみならず上下方向のアイコン５４（ページ）の移動も考えられるが、以下の実施例においては専ら左右方向の移動について説明する。
【００４３】
コンテンツ表示制御手段４４は、図１０〜図１３に示すコンテンツの表示制御に関して、タッチパネル２４の操作コマンド領域５０に対応する部分により操作量ｄの要素を有する入力操作が行われた場合、その操作量ｄに応じて、例えば、検出装置１８により検出される画像表示装置１０の傾きθが０＜θ＜θ１の範囲内である場合において図１１に示す縦１行単位で表示領域を切り替える表示制御、θ１≦θ＜θ２の範囲内である場合において図１１に示す縦２行単位で表示領域を切り替える表示制御、θ２≦θの範囲内である場合において図１１に示す縦３行単位で表示領域を切り替える表示制御すなわち表示されているアイコン５４をすべて左右何れかの表示領域のものに変更する表示制御をそれぞれ実行する。例えば、図１０に示す表示画面において、タッチパネル２４の操作コマンド領域５０に対応する部分により操作量ｄの要素を有する入力操作が行われた場合、画像表示装置１０の傾きθが０＜θ＜θ１の範囲内である場合には図１２の表示画面に切り替える表示制御が行われる一方、θ１≦θ＜θ２の範囲内である場合には図１３の表示画面に切り替える表示制御が行われる。
【００４４】
また、コンテンツ表示制御手段４４は、タッチパネル２４の操作コマンド領域５０に対応する部分により操作量ｄの要素を有する入力操作が行われた場合、その操作量ｄに応じて、例えば、検出装置１８により検出される画像表示装置１０の移動ｍが０＜ｍ＜ｍ１の範囲内である場合において図１１に示す縦１行単位で表示領域を切り替える表示制御、ｍ１≦ｍ＜ｍ２の範囲内である場合において図１１に示す縦２行単位で表示領域を切り替える表示制御、ｍ２≦ｍの範囲内である場合において図１１に示す縦３行単位で表示領域を切り替える表示制御すなわち表示されているアイコン５４をすべて左右何れかの表示領域のものに変更する表示制御をそれぞれ実行する。
【００４５】
また、コンテンツ表示制御手段４４は、好適には、各アイコン５４に対応するアプリケーションの使用頻度（各アイコン５４の選択頻度）に基づいてアプリケーション選択映像５６に係る各画面の表示態様を変更する。例えば、アイコンリスト５８における各アイコン５４毎に、対応するアプリケーションの使用頻度として累積使用回数（起動回数）乃至所定期間内の使用回数等が記憶部１６等に記憶されている。コンテンツ表示制御手段４４は、例えば、対応するアプリケーションの使用頻度に基づいて、タッチパネル２４の操作コマンド領域５０に対応する部分により入力された操作量ｄの入力操作に応じた各アイコン５４の移動量を変更する。
【００４６】
図１４は、図１１に示すアイコンリスト５８において図１０に示す状態から右方向に縦１列分表示領域が移動させられた状態に対応する表示画面である。ここで、破線で囲繞して示すアイコン５４ａは図１１に示すアイコンリスト５８において表示領域に入らない更に次の縦１列に属するものであるが、使用頻度が高いために優先して表示領域内に収められ、縦１列分左の列に含まれて表示装置２２の画面に表示されている。一方、図１５は、同様に図１１に示すアイコンリスト５８において図１０に示す状態から右方向に縦１列分表示領域が移動させられた状態に対応する表示画面である。ここで、破線で囲繞して示すアイコン５４ｂは図１１に示すアイコンリスト５８において表示領域から外れた最も左の縦１列に属するものであるが、使用頻度が高いため縦２列の移動が検出された場合でも表示領域内に残され、縦１列分右の列に含まれて表示装置２２の画面に表示されている。これら図１４及び図１５に示すように、コンテンツ表示制御手段４４は、好適には、各アイコン５４に対応するアプリケーションの使用頻度が高い場合には、そのアイコン５４を優先的に表示領域に表示させるように（表示領域内に長く残されるように）アプリケーション選択映像５６に係る各画面の表示態様を変更する。また、好適には、各アイコン５４に対応するアプリケーションの使用頻度が低い場合には、そのアイコン５４を優先的に表示領域から除外するように、或いは表示領域に入るのを遅らせるようにアプリケーション選択映像５６に係る各画面の表示態様を変更する。換言すれば、使用頻度の高いアプリケーションに対応するアイコン５４は、表示装置２２の表示領域に早く収められ且つ遅く除外されるように、使用頻度の低いアプリケーションに対応するアイコン５４は、表示装置２２の表示領域に遅れて収められ且つ早く除外されるように表示制御が行われる。すなわち、表示領域内外間での各アイコン５４の操作量に対する移動量が、各アイコン５４の使用頻度により異なる表示制御が行われる。
【００４７】
また、コンテンツ表示制御手段４４は、好適には、対応するアプリケーションの使用頻度に基づいて、アプリケーション選択映像５６における各アイコン５４の表示位置を変更する。例えば、使用頻度の高いアプリケーションに対応するアイコン５４を利用者の指部２０ｆの付近すなわち操作コマンド領域５０の付近に表示させるようにその表示位置を変更する。また、操作コマンド領域５０に対応する部分への操作後にその操作コマンド領域５０が画面から消える表示制御を行う場合には、その操作コマンド領域５０に対応する位置に使用頻度の高いアプリケーションに対応するアイコン５４が表示されるものであってもよい。
【００４８】
図３に示すカーソル表示制御手段４８は、タッチパネル２４による入力操作に応じて画面内を相対移動させられるカーソル６０を表示装置２２に表示させる。図１６は、アプリケーション選択映像５６においてカーソル６０が表示された表示画面である。この図１６に示す例では、タッチパネル２４の操作コマンド領域５０に対応する部分により操作量ｄの要素を有する入力操作が行われた場合、その操作量ｄに応じてアプリケーション選択映像５６内をカーソル６０が相対移動させられる表示制御が実行される。また、カーソル６０が所定のアイコン５４に重ねられた状態で、タッチパネル２４の操作コマンド領域５０に対応する部分によりダブルタップ等の操作が行われることにより、そのアイコン５４に対応するアプリケーションが起動され、画像表示装置１０（制御部１４）においてそのアプリケーションが実行される。
【００４９】
カーソル表示制御手段４８は、タッチパネル２４により受け付けられた入力操作の操作量ｄと、検出装置１８の検出結果としての画像表示装置１０の傾きθ及び移動ｍの少なくとも一方とに基づいて、カーソル６０の移動量及び移動速度の少なくとも一方を変更する表示制御を実行する。例えば、検出装置１８の検出結果としての画像表示装置１０の傾きθ及び移動ｍの少なくとも一方に基づいて、タッチパネル２４により受け付けられた入力操作の操作量ｄに対応するカーソル６０の移動量及び移動速度に重み付けを行う。すなわち、検出装置１８の検出結果としての画像表示装置１０の傾きθ乃至移動ｍが大きくなるほど、所定の操作量ｄに対応するカーソル６０の移動量及び移動速度の少なくとも一方を大きくする表示制御を行う。また、タッチパネル２４の左右方向に関して右方向に傾いている場合には、右方向への操作に係る操作量ｄに関して１以上の重み付けをする一方、左方向への操作に係る操作量ｄに関して１未満の重み付けをするものであってもよい。
【００５０】
また、カーソル表示制御手段４８は、好適には、各アイコン５４に対応するアプリケーションの使用頻度（各アイコン５４の選択頻度）に基づいてカーソル６０の表示態様を変更する。例えば、各アイコン５４に対応するアプリケーションの使用頻度が高い場合には、そのアイコン５４に優先的に接近させられるように（接近速度を大きくするように）カーソル６０の移動に係る表示態様を変更する。或いは、各アイコン５４に対応するアプリケーションの使用頻度が高いほど、そのアイコン５４を横切る（アイコン５４上を通過する）のに要する移動量を大きくするようにカーソル６０の移動に係る表示態様を変更する。斯かる制御に関して、アプリケーションの選択のみならず、例えば写真の領域選択を行うカーソルを移動する際、人物の顔等の特徴領域での移動速度を遅くするといった処理にも好適に適用される。
【００５１】
ここで、図３に示す表示制御手段４０は、タッチパネル２４において前記コマンド開始操作が行われた平面部全体に対する相対位置に基づいて、表示装置２２における操作コマンド領域５０の表示位置及び表示制御情報に係る判定基準を変更する。例えば、タッチパネル２４における平面部全体に対する右側（例えば右半分）においてトリプルタップ等の前記コマンド開始操作が行われた場合、表示装置２２における平面部全体に対する右側に対応する位置に操作コマンド領域５０を表示させると共に右手用（右手で画像表示装置１０を持つ利用者用）の判定基準を設定する。また、タッチパネル２４における平面部全体に対する左側（例えば左半分）においてトリプルタップ等の前記コマンド開始操作が行われた場合、表示装置２２における平面部全体に対する左側に対応する位置に操作コマンド領域５０を表示させると共に左手用（左手で画像表示装置１０を持つ利用者用）の判定基準を設定する。換言すれば、タッチパネル２４において前記コマンド開始操作が行われた平面部全体に対する相対位置に基づいて、利用者が画像表示装置１０を右手で保持しているか或いは左手で保持しているかを判断し、その判断結果に基づいてそれぞれの手に合わせた方向に傾斜させられた場合に前記制御が行われるように設定を変更する。例えば、利用者が右手で画像表示装置１０を保持していると判断される場合には右方向への傾きθについて左方向への傾きθよりもわずかな傾きに対応して同じ重み付けをするものとし、例えば右方向へ１５°傾けた場合と左方向へ３０°傾けた場合とが同じ重み付けになる設定とする。また、左右方向で判定基準となる傾きθの閾値θ１、θ２をそれぞれ異なる値に設定するものであってもよい。例えば、画像表示装置１０を右手で保持している場合には、その画像表示装置１０を右側に傾けにくい一方、左側へは傾けやすい。従って、上述のように、右方向へ１５°傾けた場合と左方向へ３０°傾けた場合とが同じ重み付けになる設定とすることで、表示制御に係る操作性を更に向上させることができる。
【００５２】
図１７は、表示装置２２に表示された映像に係る制御部１４による表示制御の要部について説明するフローチャートであり、所定の周期で繰り返し実行されるものである。
【００５３】
先ず、ステップ（以下、ステップを省略する）Ｓ１において、タッチパネル２４に対してトリプルタップが行われる等、予め定められたコマンド開始操作が行われたか否かが判断される。このＳ１の判断が否定される場合には、Ｓ１０以下の処理が実行されるが、Ｓ１の判断が肯定される場合には、Ｓ１′において、表示装置２２における画面の一部に操作コマンド領域５０が既に表示されているか否かが判断される。このＳ１′の判断が否定される場合には、Ｓ２において、表示装置２２における画面の一部に操作コマンド領域５０を表示させられた後、Ｓ１０以下の処理が実行されるが、Ｓ１′の判断が肯定される場合には、Ｓ３において、検出装置１８により検出された画像表示装置１０の重力方向に対する傾きθ及び移動ｍの少なくとも一方が取得される。次に、Ｓ４において、タッチパネル２４においてＳ１のコマンド開始操作が行われた平面部全体に対する相対位置に基づいて、利用者が画像表示装置１０を右手で保持しているか或いは左手で保持しているかが判断され、その判断結果に基づいてそれぞれの手に合わせた重み付けの設定が行われる。
【００５４】
次に、Ｓ５において、操作コマンド領域５０に対してのタッチパネル２４による接触操作に応じて画面切替操作が行われたか否かが判断される。このＳ５の判断が否定される場合には、Ｓ７以下の処理が実行されるが、Ｓ５の判断が肯定される場合には、Ｓ６において、単一オブジェクトのページであるか否かが判断される。このＳ６の判断が肯定される場合には、ＳＡにおいて、例えば図７〜図９を用いて前述した電子文書等、１つのコンテンツで表示装置２２の画面が構成される単一オブジェクトに関して図１８に示す単一オブジェクト処理が実行された後、Ｓ１０以下の処理が実行されるが、Ｓ６の判断が否定される場合には、ＳＢにおいて、例えば図１０〜図１５を用いて前述したアプリケーション選択映像５６等、相互に関連性の低い複数のコンテンツで表示装置２２の画面が構成される複数オブジェクトに関して図１９に示す複数オブジェクト処理が実行された後、Ｓ１０以下の処理が実行される。
【００５５】
Ｓ７においては、カーソル移動処理であるか否かが判断される。このＳ７の判断が肯定される場合には、ＳＣにおいて、図１６を用いて前述したカーソル６０を含む表示画面に関して図２０に示すカーソル処理が実行された後、Ｓ１０以下の処理が実行されるが、Ｓ７の判断が否定される場合には、Ｓ８において、表示装置２２に表示された何れかのアイコン５４を選択する操作であるか否かが判断される。このＳ８の判断が肯定される場合には、Ｓ９において、選択されたアイコン５４に対応するアプリケーションが起動され、画像表示装置１０においてそのアプリケーションが実行された後、Ｓ１０以下の処理が実行されるが、Ｓ８の判断が否定される場合には、Ｓ１０において、操作コマンド領域５０の表示に係るタイムアウトが検出されたか否か、すなわち表示装置２２の画面に操作コマンド領域５０が表示されてから予め定められた所定時間が経過したか否かが判断される。このＳ１０の判断が否定される場合には、Ｓ１２以下の処理が実行されるが、Ｓ１０の判断が肯定される場合には、Ｓ１１において、表示装置２２の画面から操作コマンド領域５０が消去（削除）される。次に、Ｓ１２において、制御終了であるか否かが判断される。このＳ１２の判断が否定される場合には、Ｓ１以下の処理が再び実行されるが、Ｓ１２の判断が肯定される場合には、それをもって本ルーチンが終了させられる。
【００５６】
図１８は、図１７に示す制御におけるＳＡに対応する単一オブジェクト処理を説明するフローチャートである。この制御では、先ず、ＳＡ１において、検出装置１８により検出される画像表示装置１０の傾きθが第２の閾値θ２以上であるか否かが判断される。このＳＡ１の判断が肯定される場合には、ＳＡ２において、表示装置２２の画面に表示されるオブジェクトを特徴ページ（例えばＰＤＦ等のチャプタや写真の再生頻度が高いページに相当）単位で切替表示させる表示制御が実行された後、図１７に示すメインルーチンへ復帰させられるが、ＳＡ１の判断が否定される場合には、ＳＡ３において、検出装置１８により検出される画像表示装置１０の傾きθが第１の閾値θ１以上であるか否かが判断される。このＳＡ３の判断が肯定される場合には、ＳＡ４において、表示装置２２の画面に表示されるオブジェクトを１枚のページ５２単位で（ページ１枚毎に）切替表示させる表示制御が実行された後、図１７に示すメインルーチンへ復帰させられるが、ＳＡ３の判断が否定される場合には、ＳＡ５において、表示装置２２の画面に表示されるオブジェクトを行単位でスクロール表示させる表示制御が実行された後、図１７に示すメインルーチンへ復帰させられる。
【００５７】
図１９は、図１７に示す制御におけるＳＢに対応する複数オブジェクト処理を説明するフローチャートである。この制御では、先ず、ＳＢ１において、アイコンリスト５８における各アイコン５４毎に記憶された対応するアプリケーションの使用頻度が記憶部１６から取得される。次に、ＳＢ２において、タッチパネル２４により受け付けられた入力操作の操作量ｄ、検出装置１８の検出結果としての傾きθ及び移動ｍの少なくとも一方、及びＳＢ１にて取得された各アイコン５４に対応するアプリケーションの使用頻度に基づいて、各オブジェクトすなわちアイコンリスト５８における各アイコン５４の移動量が算出される。次に、ＳＢ３において、ＳＢ２にて算出された移動量に基づいてアイコンリスト５８に定められた各アイコン５４が移動させられる表示制御が実行された後、図１７に示すメインルーチンへ復帰させられる。
【００５８】
図２０は、図１７に示す制御におけるＳＣに対応するカーソル処理を説明するフローチャートである。この制御では、先ず、ＳＣ１において、アイコンリスト５８における各アイコン５４毎に記憶された対応するアプリケーションの使用頻度が記憶部１６から取得される。次に、ＳＣ２において、タッチパネル２４により受け付けられた入力操作の操作量ｄ、検出装置１８の検出結果としての傾きθ及び移動ｍの少なくとも一方、及びＳＣ１にて取得された各アイコン５４に対応するアプリケーションの使用頻度に基づいて、カーソル６０の移動量及び移動速度の少なくとも一方が算出される。次に、ＳＣ３において、ＳＣ２にて算出された移動量及び移動速度の少なくとも一方に基づいて画面内をカーソル６０が相対移動させられる表示制御が実行された後、図１７に示すメインルーチンへ復帰させられる。
【００５９】
以上の制御において、Ｓ１〜Ｓ１０、ＳＡ、ＳＢ、及びＳＣが表示制御手段４０の動作乃至表示制御過程に、Ｓ１及びＳ２が操作コマンド領域表示制御手段４２の動作に、ＳＡ及びＳＢがコンテンツ表示制御手段４４の動作に、ＳＣがカーソル表示制御手段４６の動作にそれぞれ対応する。
【００６０】
このように、本実施例によれば、操作量ｄの要素を有する入力操作を受け付ける操作入力装置と、その操作入力装置の重力方向に対する傾きθ及び移動ｍの少なくとも一方を検出する検出装置１８と、予め定められた表示制御情報から、前記操作入力装置により受け付けられた入力操作の操作量ｄと、検出装置１８の検出結果としての前記操作入力装置の傾きθ及び移動ｍの少なくとも一方とに基づいて、表示装置２２に表示された映像に係る表示制御を実行する表示制御手段４０（Ｓ１〜Ｓ１０、ＳＡ、ＳＢ、及びＳＣ）とを、備えたものであることから、装置の傾きθ及び移動ｍの少なくとも一方に基づいて、操作入力装置による入力操作の操作量ｄに対応する表示制御を変更することで、装置の姿勢乃至移動と入力操作とを連携させて各種表示制御を実行することができる。すなわち、画像の表示制御に係る入力操作の利便性を向上させる画像表示装置１０を提供することができる。
【００６１】
また、前記操作入力装置は、表示装置２２の画面に相当する平面部に対する接触による入力操作を受け付けるタッチパネル２４であり、表示制御手段４０は、そのタッチパネル２４によるコマンド開始操作に応じて表示装置２２における画面の一部に操作コマンド領域５０を表示させると共に、その操作コマンド領域５０に対してのタッチパネル２４による接触操作に応じて前記表示制御を実行するものであるため、画面の一部に表示された操作コマンド領域５０に対するタッチパネル２４による接触入力操作と装置の姿勢乃至移動とを連携させて各種表示制御を実行することができる。
【００６２】
また、表示制御手段４０は、タッチパネル２４においてコマンド開始操作が行われた平面部全体に対する相対位置に基づいて、表示装置２２における操作コマンド領域５０の表示位置及び前記表示制御情報に係る判定基準を変更するものであるため、装置を持つ手の左右を判断して画面における操作コマンド領域５０の表示位置を変更できると共に、その操作コマンド領域５０に対する接触入力操作に応じた表示制御の基準を左右の手に対応して決定することができる。
【００６３】
また、表示装置２２は、複数種類のコンテンツを表示させるものであり、表示制御手段４０は、タッチパネル２４により受け付けられた入力操作の操作量ｄと、検出装置１８の検出結果としての画像表示装置１０の傾きθ及び移動ｍの少なくとも一方とに基づいて、複数種類のコンテンツに係る表示制御を実行すると共に、各コンテンツの種類に応じてその表示制御の態様を変更するものであるため、装置の姿勢乃至移動と入力操作とを連携させて各コンテンツに係る実用的な表示制御を実行することができる。
【００６４】
また、表示装置２２は、コンテンツとして複数のページ５２を切替表示させるものであり、表示制御手段４０は、タッチパネル２４により受け付けられた入力操作の操作量ｄと、検出装置１８の検出結果としての画像表示装置１０の傾きθ及び移動ｍの少なくとも一方とに基づいて、複数のページ５２をページ単位で切替表示させる第１の表示制御及び各ページ５２を中途までスクロール表示させる第２の表示制御の何れかを選択的に実行するものであるため、装置の姿勢乃至移動と入力操作とを連携させて実用的なページ５２の切替表示制御を実行することができる。
【００６５】
また、表示装置２２は、タッチパネル２４による入力操作に応じて画面内を相対移動させられるカーソル６０を表示させるものであり、表示制御手段４０は、タッチパネル２４により受け付けられた入力操作の操作量ｄと、検出装置１８の検出結果としての画像表示装置１０の傾きθ及び移動ｍの少なくとも一方とに基づいて、カーソル６０の移動量及び移動速度の少なくとも一方を変更する表示制御を実行するものであるため、装置の姿勢乃至移動と入力操作とを連携させて実用的なカーソル６０の移動表示制御を実行することができる。
【００６６】
また、本実施例によれば、予め定められた表示制御情報から、タッチパネル２４により受け付けられた入力操作の操作量ｄと、検出装置１８の検出結果としての画像表示装置１０の傾きθ及び移動ｍの少なくとも一方とに基づいて、表示装置２２に表示された映像に係る表示制御を実行する表示制御過程（Ｓ１〜Ｓ１０、ＳＡ、ＳＢ、及びＳＣ）を含むことから、装置の傾きθ及び移動ｍの少なくとも一方に基づいて、操作入力装置による入力操作の操作量ｄに対応する表示制御を変更することで、装置の姿勢乃至移動と入力操作とを連携させて各種表示制御を実行することができる。すなわち、画像の表示制御に係る入力操作の利便性を向上させる画像表示方法を提供することができる。
【００６７】
また、本実施例によれば、画像表示装置１０の制御部１４を、予め定められた表示制御情報から、タッチパネル２４により受け付けられた入力操作の操作量ｄと、検出装置１８の検出結果としての画像表示装置１０の傾きθ及び移動ｍの少なくとも一方とに基づいて、表示装置２２に表示された映像に係る表示制御を実行する表示制御手段４０として機能させることを特徴とする画像表示プログラムであることから、装置の傾きθ及び移動ｍの少なくとも一方に基づいて、操作入力装置による入力操作の操作量ｄに対応する表示制御を変更することで、装置の姿勢乃至移動と入力操作とを連携させて各種表示制御を実行することができる。すなわち、画像の表示制御に係る入力操作の利便性を向上させる画像表示プログラムを提供することができる。
【００６８】
以上、本発明の好適な実施例を図面に基づいて詳細に説明したが、本発明はこれに限定されるものではなく、更に別の態様においても実施される。
【００６９】
例えば、前述の実施例では、図７〜図９に示すような複数のページ５２を有する電子文書の表示制御、乃至図１０〜図１５に示すような複数のアイコン５４を選択可能に表示させるアプリケーション選択映像５６の表示制御等に本発明が適用された例を説明したが、本発明はこれに限定されるものではなく、例えばピクチャビューワにおける複数の画像の切替表示制御や、アドレス帳におけるスクロール表示制御等にも本発明は好適に適用されるものである。
【００７０】
また、前述の実施例において、表示制御手段４０は制御部１４に機能的に備えられたものであったが、同等の機能を奏する個別の制御部として制御部１４とは別体に備えられたものであってもよい。また、画像表示装置１０においては、タッチパネルディスプレイ１２の表示制御乃至入力情報処理を行う表示制御部２６及び入力制御部２８が制御部１４とは別体の制御部として備えられたものであったが、これらはその一方乃至両方が制御部１４に機能的に備えられたものであってもよい。
【００７１】
また、前述の実施例では、画像表示機能を有すると共に接触による入力装置として機能するタッチパネルディスプレイ１２を備えた画像表示装置１０に本発明が適用された例を説明したが、本発明の画像表示装置は必ずしもタッチパネルディスプレイを備えたものでなくともよく、画像を表示し得るディスプレイを備えた画像表示装置に広く適用されるものである。
【００７２】
また、前述の実施例では、操作量の要素を有する入力操作を受け付ける操作入力装置としてタッチパネル２４を備えた画像表示装置１０に本発明が適用された例を説明したが、例えば、表示装置とは別体に操作入力装置を備えたものや、ボタンやスティック状の操作入力装置を備えた態様の画像表示装置にも本発明は好適に適用されるものである。また、外部装置としてのペンタブレットを接続可能に構成された画像表示装置において、そのペンタブレットによる入力操作に係る操作量を受け付けるものであってもよい。
【００７３】
その他、一々例示はしないが、本発明はその趣旨を逸脱しない範囲内において種々の変更が加えられて実施されるものである。
【符号の説明】
【００７４】
１０：画像表示装置、１４：制御部（制御装置）、１８：検出装置、２２：表示装置（表示部）、２４：タッチパネル（操作入力装置）、４０：表示制御手段、５０：操作コマンド領域、５２：電子文書のページ、６０：カーソル
【図１】
2011252970.tif 000003
【図２】
2011252970.tif 000004
【図３】
2011252970.tif 000005
【図４】
2011252970.tif 000006
【図５】
2011252970.tif 000007
【図６】
2011252970.tif 000008
【図７】
2011252970.tif 000009
【図８】
2011252970.tif 000010
【図９】
2011252970.tif 000011
【図１０】
2011252970.tif 000012
【図１１】
2011252970.tif 000013
【図１２】
2011252970.tif 000014
【図１３】
2011252970.tif 000015
【図１４】
2011252970.tif 000016
【図１５】
2011252970.tif 000017
【図１６】
2011252970.tif 000018
【図１７】
2011252970.tif 000019
【図１８】
2011252970.tif 000020
【図１９】
2011252970.tif 000021
【図２０】
2011252970.tif 000022